(57)【特許請求の範囲】
【請求項１】
半割り状に形成された二つのケーシング部分（１２，１３）を有するケーシング（１１）と、このケーシング部分（１２，１３）の一方に収容された少なくとも一つのプリント回路板（１６）とを備え、前記少なくとも一つのプリント回路板（１６）は少なくとも一つのプラグコネクタ（１７，１８）を備えており、金属薄板の縦方向側壁（２７，２８；４７，４８）を有して構成される、電子式データ処理装置のための幾分縦長の長方形の平らな差込カード（１０）において、半割り状に形成された両ケーシング部分（１２，１３）が金属薄板によって形成され、かつ前記縦方向側壁（２７，２８；４７，４８）を備え、一方のケーシング部分（１３，１２）の縦方向側壁（４７，４８）が他方のケーシング部分（１２，１３）の縦方向側壁（２７，２８）を、ほぼ全長にわたって覆い囲むように係合し、両方のケーシング部分（１２，１３）が連結係止されるように、縦方向側壁が形成されていることを特徴とする差込カード。
【請求項２】
一方のケーシング部分（１２，１３）が少なくとも一方の横方向側部に、外面から離れる方向に向いた保持片（３７〜４０）を備え、この保持片が少なくとも一つのプラグコネクタ（１７，１８）の凹部（７７〜８０）に係合していることを特徴とする請求項１記載の差込カード。
【請求項３】
縦方向側壁（４７，４８）が他方の縦方向側壁（２７，２８）に覆い囲む側のケーシング部分（１３，１２）が、少なくとも一方の横方向側部に、外面から離れる方向に向いた保持片（５７〜６０）を備え、この保持片が少なくとも一方のプラグコネクタ（１７，１８）の凹部（７７〜８０）に係合していることを特徴とする請求項１または２記載の差込カード。
【請求項４】
少なくとも一方の横方向側部の保持片（３７〜４０；５７〜６０）が弾性または塑性変形によって揺動可能であることを特徴とする請求項３記載の差込カード。
【請求項５】
ケーシング部分（１２，１３）の横方向縁範囲が保持片（３７〜４０；５７〜６０）の近くに曲げ部（６１）を備えていることを特徴とする請求項２〜４の少なくとも一つに記載の差込カード。
【請求項６】
一方のケーシング部分（１２，１３）の縦方向側壁（２７，２８）が切り込みを入れて内側へ突出するアース片（３６）を備えていることを特徴とする請求項１〜５の少なくとも一つに記載の差込カード。
【請求項７】
請求項１〜６の少なくとも一つに記載の電子式データ処理装置のための差込カードを製作および組み立てるための方法において、両ケーシング部分を金属薄板から打抜き、縦方向側壁を組み立て時に係合し得るよう半割り状に成形し、少なくとも一つのプリント回路板に少なくとも一つのプラグコネクタを備え付け、これをユニットとして一方のケーシング部分内に摺動不能に挿入し、他方のケーシング部分を一方のケーシング部分に対して斜めに装着し、他方のケーシング部分を一方のケーシング部分上で揺動させることによって係合することを特徴とする方法。
【発明の詳細な説明】
本発明は、請求項１の上位概念に記載の電子式データ処理装置のための差込カード及び請求項７の上位概念に記載したこのような差込カードを製作および組み立てる方法に関する。
ＰＣＭＣＩＡ規格で例えばメモリカード、モデムカード、ファックスカード等として販売されるようなこの種の公知の差込カードは、合成樹脂フレームを備えている。この合成樹脂フレームにはプラグコネクタが固定され、その内部に電子部品を備えたプリント回路板が配置および保持されている。このように装備された合成樹脂フレームの両側に金属カバーが取付けられている。それによって、プリント回路板とその部品が外部からの機械的な作用によって損傷しない。製作および加工しにくい合成樹脂フレームが不充分な安定性を有するので、組み立てられた差込カードが曲がりにくいようにかつねじれにくいようにするために、金属カードを接着または溶接しなければならないのでコストがかかる。更に、必要な部品の数を少なくするために、プラグコネクタをフレームに一体化することが既に試みられた。しかし、これは接点組み立てを非常に困難にした。この公知の差込カードの他の問題は、フレーム外側縁部、特にフレーム縦方向縁部の範囲において外部からの電磁的な影響に対して遮蔽されないことにある。
従って、本発明の課題は、機械的な安定性を損なわずに、少ない数の部品で簡単かつ低コストで製作することができ、同時に充分な電磁的遮蔽作用を有する、冒頭に述べた種類の差込カードを提供することである。更に、このような差込カードを製作および組み立てるための迅速で簡単な方法を提供すべきである。
この課題を解決するために、冒頭に述べた種類の電子式データ処理装置の差込カードは請求項１記載の特徴を有し、このような差込カードを製作および組み立てる方法は請求項７記載の特徴を有する。
本発明による手段によって、差込カードはフレーム部品なしで間に合い、それによって部品の数が少なくなり、低コストとなる。更に、プラグコネクタとフレームの間の連結が省略される。この場合、そうでないときにも行われる、プラグコネクタとプリント回路板の連結は残る。機械的なねじれ強度および安定性は、互いに係合するケーシング部品だけによって得られる。この場合、平面状の接着または溶接は不要である。両ケーシング部分のこのような組み立ては非常に簡単かつ迅速に行うことができる。更に、電磁的な遮蔽が改善される。なぜなら、ケーシング部分が少なくとも差込カードの縦方向側部に沿って互いに覆い合うからである。他の利点は、そうでないときに差込カード内でフレームのために必要なスペースだけプリント回路板を大きくすることができることにある。
本発明による方法は、部品の数を少なくした差込カードを簡単かつ迅速に組み立てることができる。プラグコネクタは依然として分離され、それによって簡単に実施可能である。簡単に接合される、プリント回路板と一つまたは二つのプラグコネクタからなるユニットは、一方のケーシング部分内でずれないように簡単に固定可能であるので、プリント回路板とプラグコネクタを一方のケーシング部分内で保持するための手段を設けないで、他方のケーシング部分を係止することができる。それによって、コストが大幅に低減される。
請求項２およびまたは請求項３記載の特徴により、両ケーシング部分を係合するために、一方のプラグコネクタを介して一方のケーシング部分を他方のケーシング部分に局部的に予備固定することができる。その際、請求項４記載の特徴が合目的であり、それによって両ケーシング部分の相互の係合が揺動運動によって達成可能である。
また、実施の形態に示す特徴により、両ケーシング部分を簡単にかつ場合によっては機械で係合させることができる。それによって、揺動運動の開始時に、両ケーシング部分が互いに案内される。これは係合を一層迅速かつ確実にする。
請求項５記載の特徴により、ねじれ強度と平面安定性が一層高まる。この曲げ部は、他の折り曲げ部によって生じる材料応力を受け止めるので有利である。
電気的な放電を確実に回避するためにまたは過電圧に対する保護を確実に行うために、請求項６記載の特徴が提案される。この手段の実現はフレームなしに、ケーシング部分とプリント回路板を積み重ねるだけで非常に簡単になる。
本発明の他の詳細が次の記載から明らかである。次の記載では、図に示した実施の形態に基づいて本発明を詳しく説明する。
図１Ａと図１Ｂは本発明の好ましい実施の形態による差込カードの下側ケーシング部分または上側ケーシング部分の斜視図、
図２は図１Ａの円ＩＩ部分を回転して示す部分拡大図、
図３は図４ＦのＩＩＩ−ＩＩＩ線に沿った拡大断面図、そして
図４Ａ〜４Ｆは好ましい実施の形態による差込カードの、その個々の部品の組み立て段階を示す図である。
図３，４Ｆに組み立て状態を示した、電子式データ処理装置のためのフレームのない差込カード１０は、縦長の長方形の非常に偏平なケーシング１１を備えている。このケーシングは下側ケーシング部分１２とそれに係止連結される上側ケーシング部分１３とからなっている。両ケーシング部分１２，１３の間にはユニット１４が配置されかつ固定保持されている。このユニットは図示していない方法で電子部品を有するプリント回路板１６と、このプリント回路板に接続されたプラグコネクタ１７，１８を備えている。差込カードの横方向端部の両プラグコネクタ１７，１８は外部からアクセス可能である。この場合、プラグコネクタ１８を備えた差込カード１０の端部１９は同時に差込端部として形成されている。
両ケーシング部分１２，１３は金属薄板から打抜きされ、半割り状に形成されている。下側ケーシング部分１２は底２１を有する。この底２１は大きな平面の中央範囲２２において薄板の厚さよりも小さな寸法だけ内面２６の方へ突出するように成形され、その縦縁２３，２４と一方の端範囲２５は薄板の厚さの数倍の寸法だけ内面２６を越えて突出するよう打抜き成形されている。両縦縁２３，２４にはＬ字形の縦壁２７，２８が接続している。この縦壁は底２１の一端２９から端範囲２５の始端まで達している。縦壁２７，２８の水平な縦アーム３１はほぼ薄板の厚さだけ内面２６から更に離れるように曲げられている。一方、両縦壁２７，２８のほぼ垂直なまたはやや内側へ傾斜したアーム３２はその自由端範囲において薄板の厚さよりも小さな寸法だけ反対側の縦壁の方へ内側へ向けて曲げられている。それによって、縦壁２７，２８の自由端部に、縦壁２７，２８の長さの一部の範囲にわたってのみ延びる案内縁範囲３３が生じる。底２１の端部２９の近くにおいて、縦壁２７，２８のアーム３２からアース片３６が切り込みを入れて形成され、その長手方向に成形されて下側ケーシング部分１２の内面の方へ折り曲げられている。端部２９はそれぞれ縦壁２７，２８側に保持片３７，３８を備えている。この保持片は下側ケーシング部分１２の幅と比べて非常に狭く、底２１から垂直に突出するよう折り曲げられ、縦壁２７，２８の自由端の前に位置している。これと同様な保持片３９，４０が底２１の端範囲２５から同様に縦壁２７，２８の方へほぼ垂直に上方へ折り曲げられている。この保持片３９，４０も両縦壁２７，２８の近くにおいて側方に配置され、同様に縦壁２７，２８の両アーム３２の曲げ部の高さ位置まで達している。
上側ケーシング部分１３は下側ケーシング部分１２とほぼ同じように形成されている。上側ケーシング部分１３は同様に平らな底４１を備えている。この底の中央の大きな平面の範囲４２は、薄板の厚さよりも小さな寸法だけ内面４６の方へ突出し、側方の縦縁４３，４４に接続している。この縦縁は縦範囲４５と同様に、薄板の厚さの数倍の寸法だけ内面４６から離れる方向に曲げられている。縦縁４３，４４にはＵ字形または溝状の縦壁４７，４８が接続している。両縦壁４７，４８は一端４９から端範囲４５の始端まで達している。縦壁４７，４８の内側のアーム５１は縦縁４３，４４と同じ平面内に位置している。外側のアーム５２は内側のアーム５１に対して平行に延び、接続アーム５３は外側または内側アームに対して垂直である。下側ケーシング部分１２と同様に、上側ケーシング部分１３もその両端部４９，４５に保持片５７〜６０を備えている。しかし、この保持片は下側ケーシング部分１２の保持片３７〜４０よりも低い。下側ケーシング部分１２の保持片３７〜４０と上側ケーシング部分１３の保持片５７〜６０は、差込カード１０の組み立て状態で互いに向き合うので、それぞれの内面２６，４６から突出するその長さの合計は高々、組み立て状態での両ケーシング部分１２，１３の間のそれぞれの内法幅に等しい。
図２から判るように、各々の端部２５，２９，４５，４９は保持片３７〜４０または５７〜６０の間の範囲に、それぞれのケーシング部分１２，１３のねじれ強度を高めるためにまたはケーシング部分を平らにするために、曲げられた狭い条片６１を備えている。
図３から判るように、両ケーシング部分１２，１３は差込カード１０の組み立て状態では互いに係止連結され、それによって上側ケーシング部分１３の両縦壁４７，４８が下側ケーシング部分１２の両縦壁２７，２８を取り囲む。その際、上側ケーシング部分１３の縦壁４７，４８の外側のアーム５２は、縦縁２３，２４に対して曲げられた、下側ケーシング部分１２の縦壁２７，２８の水平なアーム３１に係合する。
次に、図４Ａ〜４Ｆに基づいて差込カード１０の製作または組み立てについて説明する。図４Ａはプリント回路板１６を示している。しかし、簡単にするために、プリント回路板１６の片側または両側の電子的な構成要素は省略してある。更に、構成要素のためのプリント配線と固定穴も図示していない。両プラグコネクタ１７，１８のための端子接触構造体６６，６７と、両アース片３６のための端子接触面６８だけが示してある。プリント回路板１６は両側に、図４Ｂに示すような、プラグコネクタ１７，１８に形成されたピン７１を収容するための収容穴６９を備えている。プラグコネクタ１７，１８はそれぞれ絶縁−成形体を備えている。この絶縁成形体にはプラグソケット構造体７２，７３が図示しない態様で設けられている。このプラグソケット構造体はターミナルラグ構造体７４，７５を備えている。プラグコネクタ１７，１８は図４Ｂ，４Ｃに図示するように、プリント回路板１６の一方の側にセットされ、ターミナルラグ７４，７５は例えばはんだ付けによって端子接点６６，６７に連結されている。このようにして回路要素を備えたプリント回路板１６と両プラグコネクタ１７，１８とから作られたユニット１４は図４Ｄに示すようにひっくり返して下側ケーシング部分１２に挿入される。その際、下側ケーシング部分１２の保持片３７〜４０が図４Ｂ，４Ｃに示す対応するスリットまたは切欠き７７〜８０に挿入されるので、ユニット１４は下側ケーシング部分１２の縦方向において固定される。下側ケーシング部分１２の横方向においては、プラグコネクタ１７，１８の側方縁部が両縦壁２７，２８の間に係止される。この挿入状態で両アース片３６はプリント回路板１６の端子接触面６８に接触する。
図４Ｅに従って、上側ケーシング部分１３は先ず最初に、端範囲４５の自由縁部に成形されたその保持片５９，６０が、プラグコネクタ１８の対応するスリット７９，８０に挿入される。この場合、上側ケーシング部分１３は下側ケーシング部分１２に対して鋭角に傾斜している。この姿勢では、保持片５９，６０は弾性変形または塑性変形してやや外側へ曲げられている。ケーシング部分１２，１３のこの角度をなした姿勢では、保持片５９，６０よりの縦壁４７，４８の端部が、図４Ｅから判るように、下側ケーシング部分１２の縦壁２７，２８の範囲にまだ接触していない。差込カード１０の縦方向において固定された、上側ケーシング部分１３のこの姿勢から出発して、この上側ケーシング部分は矢印Ａに従って下側ケーシング部分１２の方へ揺動させられる。下側ケーシング部分１２の縦壁２７，２８のアーム３２の案内縁範囲３３に基づいて、上側ケーシング部分１３の縦壁４７，４８の外側アーム５２の内側縁部がやや外側へ拡がって縦壁２７，２８上を滑り、矢印Ａの揺動運動の終わりには縦壁２７，２８の水平なアーム３１に下側から係合する（図３）。この挿入段階を一層簡単かつ確実にするために、図示していない方法で、下側ケーシング部分１２のアーム３２の案内縁範囲３３の、端範囲２５側のエッジを、やや内側へプレス成形するかまたは曲げることができる。図４Ｆは係止された最終状態を示す。この状態では、保持片５７，５８もプラグコネクタ１７，１８の対応する凹部７７，７８内に達している。この状態から判るように、プラグコネクタ１８を備えた端範囲１９は差込カード１０の残りの範囲よりも狭くなっており、従って差込側端部として機能することができる。
【図１Ａ】
0004111535.tif 000002
【図１Ｂ】
0004111535.tif 000003
【図２】
0004111535.tif 000004
【図３】
0004111535.tif 000005
【図４Ａ】
0004111535.tif 000006
【図４Ｂ】
0004111535.tif 000007
【図４Ｃ】
0004111535.tif 000008
【図４Ｄ】
0004111535.tif 000009
【図４Ｅ】
0004111535.tif 000010
【図４Ｆ】
0004111535.tif 000011